(57)【要約】【課題】第１課題は、インテリアとしておしゃれで立体感ある装飾性はもちろん、姿見としての機能性及び／又は各種メモ類の表示機能性を備えた、汎用性を有するインテリア用品を提供すること。第２課題は、部品点数が少なく、製作が容易で、かつ比較的に軽量で、製作コストが安価な、汎用性を有するインテリア用品を提供すること。第３課題は、誕生祝い、結婚祝い又は結婚披露の引き出物等のおしゃれな贈答品として最適な、汎用性を有するインテリア用品を提供することにある。【解決手段】インテリア用品１００は、ガラス材を素材とした鏡面体１１と薄鉄板１２からなる表示板１０、表示板１０の外周縁１０ａを囲繞する枠体２０、表示板１０の裏面１０ｂに当接するクッション体４０、該クッション体４０の裏面全体４０ａを圧接する裏板３０、表示板１０の表面１０ｃに着脱自在な１〜複数の装飾体である造花ＦＬ１〜ＦＬ８を主な構成部材としている。【選択図】図１
2013082189.tif 000002
【特許請求の範囲】
【請求項１】
ガラス材からなる鏡面体の裏面に薄鉄板を重合してなる表示板と、
前記表示板の外周縁を囲繞する枠体と、
前記表示板の裏面に当接するクッション体と、
前記クッション体の裏面全体を表示板方向に圧接するように取り付けられる裏板と、
前記表示板の表面に着脱自在に装着される１〜複数の装飾体と、
から構成された、
ことを特徴とする汎用性を有するインテリア用品。
【請求項２】
前記装飾体は色彩と種類が同じか又は異なる造花であり、その素材が樹脂材、紙材又は布材である、
ことを特徴とする請求項１に記載の汎用性を有するインテリア用品。
【請求項３】
前記造花の根元には前記表示板に磁着するためのマグネットが取り付けられている、
ことを特徴とする請求項１又は請求項２の何れかに記載した汎用性を有するインテリア用品。
【請求項４】
前記枠体は上枠、下枠、左枠及び右枠からなり、
前記上枠、下枠、左枠及び右枠の内側に第１段部と第２段部を形成し、
前記表示板と前記クッション体は前記第１段部に嵌め込まれ、
前記裏板は前記第２段部に嵌め込まれると共に、ビスねじ等によって前記枠体の第２段部の壁面に固定されている、
ことを特徴とする請求項１又は請求項３の何れかに記載した汎用性を有するインテリア用品。
【請求項５】
前記枠体は木質材料又は硬質樹脂材からなり、裏板はＭＤＦ又は各種合板からなる、
ことを特徴とする請求項１又は請求項４に記載した汎用性を有するインテリア用品。
【請求項６】
前記枠体の裏面部には１〜複数の掛止具が取り付けられている、
ことを特徴とする請求項１、請求項４又は請求項５に記載した汎用性を有するインテリア用品。
【請求項７】
前記裏板には折り畳み可能なスタンドが取り付けられている、
ことを特徴とする請求項１、請求項４又は請求項５の何れかに記載した汎用性を有するインテリア用品。
【発明の詳細な説明】
【技術分野】
【０００１】  本発明は、汎用性を有するインテリア用品に係り、より詳しくは、おしゃれで立体感ある装飾性はもちろん、姿見としての機能性及び／又は各種メモ類の表示機能性を備えた、汎用性を有するインテリア用品に関する。【０００２】  鏡、装飾額又は各種のインテリア用品は、一般的にそれぞれ単一の目的又は用途で室内に配置されている。複数の目的又は用途、例えば姿見を兼ねた飾り具や装飾額等はほとんど市販されていない。特許文献１（第１頁、図６参照）の「飾り具及び装飾具」は、装飾性の高い飾り具と、その飾り具を展示するのにふさわしく且つ独創的な装飾加工を施した装飾額を合わせて提供する、ことを課題とし、その解決手段として、飾り具は、前面側に配置される透明性を有する表示板と、その表示板の後側に配置される基盤とを備え、表示板と基盤との間隙に表示対象となるシート状装飾物を封入せしめ、シート状装飾物は美感を与える布地、蓄光部材から形成され、装飾額の額縁の表面に装飾加工を施して任意の装飾物を形成し、装飾額の前面に飾り具の基盤後部を嵌め込む凹部を形成し、飾り具を装飾額の前面に着脱自在に取り付ける、ことを特徴としている。【０００３】  また、特許文献２（第１頁、図３参照）の「インテリア用品」は、ドライフラワーや造花、人形、木の実、石、パール、籐製品等の装飾品などの色を保存したり、形を出来るだけ長期に保ったりするために、容器の内部に収納して飾り、室内の飾る場所や、置き方の多様性を持たせたインテリア用品を提供する、ことを課題とし、その解決手段は、二枚の透明もしくは半透明な板と、平面または曲面等の組み合わせから空間を構成してなる置物状の空間内側に装飾品を固定する、ことを特徴としている。
【先行技術文献】
【特許文献】
【０００４】
【特許文献１】実用新案登録第３１２５６４９号公報
【特許文献２】実用新案登録第３１２３８４３号公報
【発明の概要】
【発明が解決しようとする課題】
【０００５】  本願発明が解決しようとする第１の課題は、インテリアとしておしゃれで立体感ある装飾性はもちろん、姿見としての機能性及び／又は各種メモ類の表示機能性を備えた、汎用性を有するインテリア用品を提供することにあり、第２の課題は、部品点数が少なく、製作が容易で、かつ比較的に軽量で、製作コストが安価な、汎用性を有するインテリア用品を提供することにあり、第３の課題は、誕生祝い、結婚祝い又は結婚披露の引き出物等のおしゃれな贈答品として最適な、汎用性を有するインテリア用品を提供することにある。
【課題を解決するための手段】
【０００６】  本願発明における課題を解決するための手段は、本願、特許請求の範囲の各請求項に記載の発明であり、その具体的な解決手段は、以下の通りである。
即ち、課題を解決するための第１の発明は、請求項１に記載の発明であり、
ガラス材からなる鏡面体の裏面に薄鉄板を重合してなる表示板と、前記表示板の外周縁を囲繞する枠体と、前記表示板の裏面に当接するクッション体と、前記クッション体の裏面全体を表示板方向に圧接するように取り付けられる裏板と、前記表示板の表面に着脱自在に装着される１〜複数の装飾体と、から構成された、
ことを特徴としている。【０００７】  課題を解決するための第２の発明は、請求項２に記載の発明であり、
前記装飾体は色彩と種類が同じか又は異なる造花であり、その素材が樹脂材、紙材又は布材である、ことを特徴としている。【０００８】  課題を解決するための第３の発明は、請求項３に記載の発明であり、
前記造花の根元には前記表示板に磁着するためのマグネットが取り付けられている、ことを特徴としている。【０００９】  課題を解決するための第４の発明は、請求項４に記載の発明であり、
前記枠体は上枠、下枠、左枠及び右枠からなり、前記上枠、下枠、左枠及び右枠の内側に第１段部と第２段部を形成し、前記表示板と前記クッション体は前記第１段部に嵌め込まれ、前記裏板は前記第２段部に嵌め込まれると共に、ビスねじ等によって前記枠体の第２段部の壁面に固定されている、ことを特徴としている。【００１０】  課題を解決するための第５の発明は、請求項５に記載の発明であり、
前記枠体は木質材料又は硬質樹脂材からなり、裏板はＭＤＦ又は各種合板からなる、ことを特徴としている。【００１１】  課題を解決するための第６の発明は、請求項６に記載の発明であり、
前記枠体の裏面部には１〜複数の掛止具が取り付けられている、ことを特徴としている。【００１２】  課題を解決するための第７の発明は、請求項７に記載の発明であり、
前記裏板には折り畳み可能なスタンドが取り付けられている、ことを特徴としている。
【発明の効果】
【００１３】  本願発明に係る、汎用性を有するインテリア用品は、上記のような特徴的構成要件から構成され、特徴的構成要件に応じた、以下のような本願発明特有の効果を奏する。また、上記のような特徴的構成要件によれば、本願発明の課題を解決することができた。
即ち、第１の発明によれば、「ガラス材からなる鏡面体の裏面に薄鉄板を重合してなる表示板と、前記表示板の外周縁を囲繞する枠体と、前記表示板の裏面に当接するクッション体と、前記クッション体の裏面全体を表示板方向に圧接するように取り付けられる裏板と、前記表示板の表面に着脱自在に装着される１〜複数の装飾体と、から構成された、」という特徴的構成要件により、
また、第２の発明によれば、「前記装飾体は色彩と種類が同じか又は異なる造花であり、その素材が樹脂材、紙材又は布材である」という特徴的構成要件により、
また、第３の発明によれば、「前記造花の根元には前記表示板に磁着するためのマグネットが取り付けられている」という、当業者が想到することができない特徴的構成要件により、
インテリアとしておしゃれで立体感ある装飾性はもちろん、姿見としての機能性及び／又は各種メモ類の表示機能性を備えた、汎用性を有するインテリア用品の提供という、第１の課題を解決することができた。即ち、リビングルーム等の壁面に装飾額として掛止したり、キャビネット等の上面に載置すれば、室内全体が華やかになり、また造花の花弁が表示板の鏡面に反映してボリューム感を醸し出すことができる。さらに、例えば、玄関等の壁面にインテリア用品を掛止すれば、姿見として機能し、また表示板の鏡面にメッセージ等を記載したメモ類は、造花のマグネットを介して磁着し、メモボードとして使用することができる。また、造花は、色彩と種類が同じか又は異なるので、季節によって、あるいはその日の気分等で、随時簡単に取り替えたり、レイアウトを楽しむことができる。【００１４】  第４の発明によれば、「前記枠体は上枠、下枠、左枠及び右枠からなり、前記上枠、下枠、左枠及び右枠の内側に第１段部と第２段部を形成し、前記表示板と前記クッション体は前記第１段部に嵌め込まれ、前記裏板は前記第２段部に嵌め込まれると共に、ビスねじ等によって前記枠体の第２段部の壁面に固定されている」という特徴的構成要件により、
また、第５の発明によれば、「前記枠体は木質材料又は硬質樹脂材からなり、裏板はＭＤＦ又は各種合板からなる」という特徴的構成要件により、
また、第６の発明によれば、「前記枠体の裏面部には１〜複数の掛止具が取り付けられている」という特徴的構成要件により、
さらに第７の発明によれば、「前記裏板には折り畳み可能なスタンドが取り付けられている」という特徴的構成要件により、
部品点数が少なく、製作が容易で、かつ比較的に軽量で、製作コストが安価な、汎用性を有するインテリア用品の提供という第２の課題を解決することができた。即ち、本願発明に係る、インテリア用品は、鏡面体を主材とする表示板、枠体及び装飾体（造花）を主な構成部材としているから、部品点数が少なく、製作、組立作業も簡便であり、材料費も安価で、大量生産が可能で、全体的な製作コストを低額とするという、効果を有する。
さらに、上述した第１の発明〜第７の発明により、誕生祝い、結婚祝い又は結婚披露の引き出物等のおしゃれな贈答品として最適な、汎用性を有するインテリア用品の提供という第３の課題を解決することができた。
【図面の簡単な説明】
【００１５】
【図１】は、本願発明に係る汎用性を有するインテリア用品の全体を示す斜視図である。
【図２】は、図１における２−２線拡大断面図である。
【図３】は、図１における３−３線拡大断面図である。
【図４】は、本願発明に係る汎用性を有するインテリア用品の背面図である。
【図５】は、メモボードとして使用した状態の正面図である。
【図６】は、スタンドを用いてテーブル等に載置した状態の側面図である。
【図７】は、本願発明に係る他の実施形態を示す正面図である。
【発明を実施するための形態】
【００１６】  図１は、本願発明の汎用性を有するインテリア用品（以下、インテリア用品１００という）の全体を示すものであり、インテリア用品１００は、ガラス材を素材とした鏡面体１１とその裏面１１ａに重合した薄鉄板１２からなる表示板１０とその表示板１０の外周縁１０ａを囲繞する枠体２０と、表示板１０の裏面１０ｂに当接するクッション体４０と、該クッション体４０の裏面全体４０ａを圧接するように取り付けられる裏板３０と、表示板１０の表面１０ｃに着脱自在な１〜複数の装飾体である造花ＦＬ１〜ＦＬ８を主な構成部材としている。
【００１７】  図２は、インテリア用品１００の構造を拡大して示している。図１及び図２に示す、枠体２０は、上枠２１、下枠２２、左枠２３及び右枠２４からなり、上枠２１、下枠２２、左枠２３及び右枠２４の内側に第１段部Ａと第２段部Ｂを形成し、表示板１０とクッション体４０は、第１段部Ａに嵌め込まれ、裏板３０は、第２段部Ｂに嵌め込まれると共に、ビスねじＮによって枠体２０に形成された第２段部Ｂの壁面Ｂｗに固定される。枠体２０の素材としては、木質材料又は硬質樹脂材、例えばＡＢＳ樹脂、硬質ポリプロピレン等が好ましく、また裏板３０の素材は、剛性を有するＭＤＦ（中質繊維板）又は各種合板が好ましい。鏡面体１１は、ガラスを素材として、例えば、その厚さを約２ｍｍとし、その裏面１１ａに重合される薄鉄板１２は約１ｍｍとし、第１段部Ａの壁面Ａｗに押し付けるように嵌め込まれ、鏡面体１１と薄鉄板１２からなる表示板１０の後面には、巾寸約１０〜１２ｍｍのクッション体４０が２枚配置され、第２段部Ｂに嵌め込まれる裏板３０と複数のビスねじＮによって第１段部Ａの壁面Ａｗに圧接するように固定される。クッション体４０は、例えば、発泡スチロール等が好ましく、裏板３０により、鏡面体１１と薄鉄板１２を第１段部Ａの壁面Ａｗに圧接して表示板１０がガタつくのを防止する目的と、取扱い中の不測の衝撃で鏡面体１１が破損することを防ぐためである。また枠体２０に所定の厚みをもたせて装飾額のような重厚さを付与させるものである。図２及び図３には、クッション体４０が２枚重ねて取り付けられているが、１枚でもその目的は達することができる。装飾体ＦＬ１〜ＦＬ８は、色彩と種類が同じか又は異なる造花であり、その素材としては、樹脂材、紙材又は布材であり、樹脂材のものは、公知技術、例えば押型成形法等により一体的に製作することが可能である。また、紙材又は布材からなる造花ＦＬ１〜ＦＬ８は、手作りであるから高級感を醸し出すことができる。各造花ＦＬ１〜ＦＬ８は、図１に示すように、鏡面体１１の枠近傍にバランスよく配置し、中央部を姿見として利用できるようにすることができる。各造花ＦＬ１〜ＦＬ８の根元には、図２及び図３に示すように、表示板１０に磁着するためのマグネットＭＧがそれぞれ取り付けられている。マグネットＭＧは、ガラス材からなる鏡面体１１上に磁着するための磁力（ガウス）を有するもので、各造花ＦＬ１〜ＦＬ８の茎部分ＦＬａを挿入するための嵌合孔ＭＧａが設けられており、茎部分ＦＬａは接着剤により嵌合孔ＭＧａ内に固定される。なお、下枠２２の構造と形状は、上枠２１と対称的になっているので、その図示と説明は省略する。
【００１８】  図３は、左枠２３部分を断面して示すもので、左枠２３の内側に第１段部Ａと第２段部Ｂを形成し、表示板１０とクッション体４０は、第１段部Ａに嵌め込まれ、裏板３０は、第２段部Ｂに嵌め込まれると共に、ビスねじＮによって枠体２０の第２段部Ｂに形成された壁面Ｂｗに固定される。造花ＦＬ６は、鏡面体１１上に磁着されている。また、右枠２４の構造と形状は、左枠２３と対称的になっているので、その図示と説明は省略する。
【００１９】  図４は、本願発明に係るインテリア用品１００の背面図であり、図示するように、枠体２０の上枠２１と右枠２４（左枠２３に取り付けも可）には１〜複数の掛止具Ｋが取り付けられている。掛止具Ｋは、リビングルームや玄関等の壁面部のフック（不図示）等に係止するためのもので、インテリア用品１００は、縦掛け又は横掛けの何れかを選択可能としている。
【００２０】  図５は、インテリア用品１００をメモボードとして使用した状態を示している。Ｐは、メッセージを記載したメモ用紙で、例えば、インテリア用品１００を玄関等の壁面部に縦掛け又は横掛けし、家人が外出等に際し、同居人等にメッセージを伝えたいときに、メモ用紙Ｐにその内容、例えば、「○○ちゃん、買物にでかけます、留守番よろしくね！」等を記載し、これを鏡面体１１の中央部に造花ＦＬ２等を介して磁着させることができる。
【００２１】  図６に示すように、比較的に小サイズのインテリア用品１００の裏板３０には、折り畳み可能なスタンドＳを取り付けることができ、リビングルーム、書斎又は寝室等のテーブルＴ等に載置し、スタンドＳを用いて写真立て又はメモボードとして使用することができる。
【００２２】  図７は、本願発明に係る他の実施形態を示し、特に、枠体２０の形状を楕円形としたもので、その他の構成部材である鏡面体１１、薄鉄板１２からなる表示板１０、裏板３０、クッション体４０及び１〜複数の造花ＦＬ１〜ＦＬ８等は、素材及び構造は基本的に同じものである。枠体２０の形状は、正方形、六角形等多角形、円形、ハート形、星等各種の図形を採用することができる。
【００２３】  本願発明は、上記実施形態に限定されず、本願発明の技術的範囲を逸脱しない限り種々の変更が考えられ、それに係る種々の実施形態を包含するものである。
【符号の説明】
【００２４】１００          インテリア用品
１０            表示板
１０ａ          外周縁
１０ｂ          裏面
１０ｃ          表面
１１            鏡面体
１１ａ          裏面
１２            薄鉄板
２０            枠体
３０            裏板
４０            クッション体
ＦＬ１〜ＦＬ８  装飾体（造花）
ＭＧ            マグネット
Ａ              第１段部
Ｂ              第２段部
Ｎ              ビスねじ
Ｋ              掛止具
Ｓ              スタンド
Ｔ              テーブル
【図１】
2013082189.tif 000003
【図２】
2013082189.tif 000004
【図３】
2013082189.tif 000005
【図４】
2013082189.tif 000006
【図５】
2013082189.tif 000007
【図６】
2013082189.tif 000008
【図７】
2013082189.tif 000009